(57)【要約】【課題】従来の建設機械のバックホー等の旋回型掘削作業車に装着されるキャビンの問題点は、キャビンのドア部分及び窓部分しか開放部分がないので、キャノピー仕様のバックホーのようには開放感がなかった。本願発明は、キャビンのドア部分及び窓部分以外にも開放部分を設けてキャノピー仕様のバックホーのように開放感のあるキャビンを実現するものである。また、作業を行っても、開放部分が突出しないようにすることを目的とする。【解決手段】走行装置５に旋回台軸受１４を介して旋回台フレームＦを旋回可能に装着し、該旋回台フレームＦに、座席１２、ボンネット７等を配設して上部体装置１８を構成し、該旋回台フレームＦの前方に向けて、作業機Ａを上下方向に作動可能にブームブラケット４を介して枢支した旋回型掘削作業車において、該掘削作業車に備えたキャビンＣの表面積を可変に構成する。【選択図】　　図１
2004011232.tif 000002
【特許請求の範囲】
【請求項１】
走行装置に旋回台軸受を介して旋回台フレームを旋回可能に装着し、該旋回台フレームに座席、ボンネット等を配設して上部体装置を構成し、該旋回台フレームの前方に向けて作業機を上下方向に作動可能に作業機枢支部を介して枢支した旋回型掘削作業車において、該旋回台フレームに備えたキャビンの表面積を可変としたことを特徴とした旋回型掘削作業車のキャビン。
【請求項２】
キャビンに乗降用ドアを設けたことを特徴とする、請求項１記載のキャビン。
【請求項３】
キャビンの表面積を可変とした可変部分をスライド式とし、該可変部分がスライドし収納可能としたことを特徴とする、請求項１又は２記載のキャビン。
【請求項４】
キャビンの表面積を可変とした可変部分を有し、該可変部分がヒンジ式としたことを特徴とする、請求項１又は２記載のキャビン。
【請求項５】
キャビンの表面積を可変とした可変部分を有し、該可変部分が収納可能としたことを特徴とする請求項４記載のキャビン。
【請求項６】
キャビンの表面積を可変とした可変部分を有し、該可変部分が脱着自在としたことを特徴とする、請求項１，２，３，４又は５記載のキャビン。
【請求項７】
キャビン又はドアに固定窓を設け、該固定窓に開閉可能な小窓を設けたことを特徴とする、請求項１、２、３、４、５、又は６記載のキャビン。
【発明の詳細な説明】
【０００１】
【発明の属する技術分野】
本願発明は、建設機械のバックホー等の旋回型掘削作業車に装着されるキャビンに関する。
【０００２】
【従来の技術】
従来、建設機械のバックホー等の旋回型掘削作業車に装着されるキャビンは、例えば特許公開公報「特開平０６−１９３０９５号」に記載されているように、キャビンの側面に設けたリンク機構によって、扉を後方に移動させて、その開閉を行うことにより、バケットによって掘削した土がキャビン上に落下しても、扉の開閉を容易に行うことができるようになっていた。
【０００３】
また、従来、建設機械のバックホー等の旋回型掘削作業車に装着されるキャビンは、例えば特許公開公報「特開２００１−１５２４８７号」に記載されているように、ドアを全開放姿勢に設定した際にドアの揺動端が旋回体の後端に張り出すことのないバックホーを構成することより、特に、旋回体の後端が左右のクローラの幅内から外方に張り出さないように設計されている後方小旋回型バックホーにおいて、ドアの後端が後方小旋回型バックホーの旋回体から後方に突出しないようにしていた。以上、２件の従来の建設機械のバックホー等の旋回型掘削作業車において、キャビンにドアがあり該ドアから乗り降りを行っていたので、キャビン内の換気及びキャビン外との連絡もいちいち前記ドアを開けて行なわなければならなかった。
【０００４】
【発明が解決しようとする課題】
キャビンを備えた建設機械のバックホー等の旋回型掘削作業車は、天候の悪い日、雨風の強い日、又は寒い日等に、それらを防げるので快適であった。しかしながら、従来の建設機械のバックホー等の旋回型掘削作業車に装着されるキャビンの問題点は、天候の良い日等にドアを開放状態にしたとしても、キャビンのドア部分及び窓部分しか開放部分がないので、キャノピー仕様のバックホーのようには開放感がなかった。
【０００５】
本願発明は、このような従来構成のキャビンが有していた問題点を解決しようとするものであり、キャビンのドア部分及び窓部分以外にも開放部分を設けて、キャノピー仕様のバックホーように開放感のある旋回型掘削作業車に装着されるキャビンを実現するものである。また、キャビンを開放感のある状態にして、作業を行っても、開放部分が、旋回型掘削作業車の旋回体から突出しないようにすることを目的とする。
【０００６】
【課題を解決するための手段】
本願発明が解決しようとする課題は以上の如くであり、次に該課題を解決するために、本願発明では、次の手段を講じた。すなわち、本願発明における課題解決のための第１の具体的手段は、走行装置に旋回台軸受を介して旋回台フレームを旋回可能に装着し、該旋回台フレームに、座席、ボンネット等を配設して上部体装置を構成し、該旋回台フレームの前方に向けて、作業機を上下方向に作動可能に作業機枢支部を介して枢支した旋回型掘削作業車において、該旋回台フレームに備えたキャビンの表面積を可変に構成していることである。なお、本願発明にて、キャビンの表面積とは、キャビンからドア部分及びフロント窓、右側窓、後部窓、天井窓等の窓部分の表面積を除いたキャビンの壁部分の表面積を表す。
【０００７】
本願発明における課題解決のための第２の具体的手段は、キャビンに乗降用ドアを設けるように構成していることである。
【０００８】
本願発明における課題解決のための第３の具体的手段は、キャビンの表面積を可変とした可変部分をスライド式とし、該可変部分がスライドし収納可能に構成していることである。
【０００９】
本願発明における課題解決のための第４の具体的手段は、キャビンの表面積を可変とした可変部分を有し、該可変部分がヒンジ式に構成していることである。
【００１０】
本願発明における課題解決のための第５の具体的手段は、キャビンの表面積を可変とした可変部分を有し、該可変部分が収納可能に構成していることである。
【００１１】
本願発明における課題解決のための第６の具体的手段は、キャビンの表面積を可変とした可変部分を有し、該可変部分が脱着自在に構成していることである。
【００１２】
本願発明における課題解決のための第７の具体的手段は、ドアに固定窓を設け、該固定窓に開閉可能な小窓を設けるように構成していることである。
【００１３】
【実施例】
次に本願発明の実施例を説明する。図１は実施例１を示す旋回型掘削作業車の左側面図、図２は実施例１を示す旋回型掘削作業車の右側面図、図３は実施例２を示す旋回型掘削作業車の左側面図、図４は実施例２を示す旋回型掘削作業車の平面図、図５は実施例３を示す旋回型掘削作業車の平面図、図６は実施例４を示す旋回型掘削作業車の平面図、図７は実施例５を示す旋回型掘削作業車の平面図、図８は実施例６を示す旋回型掘削作業車の左側面図、図９は実施例７を示す旋回型掘削作業車の左側面図、である。
【００１４】
実施例１、本願発明の実施例１を、図１と図２に基づいて説明する。図１と図２は実施例１の構造を示す旋回型掘削作業車の左側面図と右側面図である。図において、１はバケットを示し、２はアーム、３はブームを示す。作業機Ａは、ブーム３、アーム２、バケット１等から構成され、上下方向に作動可能に、ブームブラケット４を介して、旋回台フレームＦに枢支されている。５は左右一対の走行装置を示し、６は排土板を示す。７はボンネットを示し、８はキャビンＣの前面窓を示す。前面窓８は透明ガラス等で出来ている。１０ＬはキャビンＣの左上窓を示し、１０ＲはキャビンＣの右上窓を示し、１１はキャビンＣの左下窓を示し、１２はキャビンＣ内の座席を示す。１３ＬはキャビンＣの左後方窓を示し、１３ＲはキャビンＣの右後方窓を示し、１４は旋回台軸受を示し、１５はキャビンＣの表面積を可変とした可変部分の回動支点部を示す。１７はキャビンＣの表面積を可変とした可変部分を示し、１８は上部体装置を示し、ＴはキャビンＣの天井部を示し、前期上部体装置１８は旋回台フレームＦと座席１２とエンジン、油タンク等を覆っているボンネット７等から構成される。１９は可変部分１７を動かす取って部を示す。左右一対の走行装置５を装備した走行フレームの略中央部に、旋回台軸受１４設け、該旋回台軸受１４上に旋回台フレームＦを旋回自在に載置してある。旋回台フレームＦ上の左側部に、運転部、座席等を有するキャビンＣ、その右側部に原動機等を収納したボンネット７を配設している。キャビンＣの表面積を可変とした可変部分１７を開けることにより、キャビンＣの表面積を小さくできる。キャビンＣを備えた旋回型掘削作業車で有りながら、キャビンＣの表面積を小さくすればキャノピー仕様と同等程度の開放感を得られる。更に、座席１２の左右の可変部分を両方とも開けて、キャビンＣの表面積を更に小さくすれば、より一層の開放感を得ることができる。なお、キャビンＣの表面積を可変とした可変部分１７は実施例１ではキャビンＣの左右にもうけられているが、左右に限定するものでなくどちらか一方のみの設けても良く、または、キャビンＣの全周面のいずれかの個所に設けても良い。
【００１５】
実施例２、図３は実施例２の構造を示す旋回型掘削作業車の左側面図である。図４は実施例２の構造を示す旋回型掘削作業車の平面図である。９はキャビンＣの乗降用ドアを示し、２０はドア９を開け閉めする際のドアノブを示し、１６はドア９の回動支点を示す。他の部品番号の部品名称は、図１、図２と同じである。図３、図４ではキャビンＣの右側にキャビンＣの表面積を可変とした可変部分１７を設け、左側に乗降用ドア９を設けた例を示す。図４に示すように、キャビンＣの右側の可変部分１７を移動することにより開放感が得られる。また、通常の乗り降りには、ドアの開閉が容易なドア９から行える。なお、実施例２では、乗降用ドア９をキャビンＣの可変部分１７でない箇所に設けた例を示したが、乗降用ドア９をキャビンＣの可変部分１７に設けても良い。
【００１６】
実施例３、図５は実施例３の構造を示す旋回型掘削作業車の平面図である。図５ではキャビンＣの表面積を可変とした可変部分１７をキャビンＣの左右に設けている。また、可変部分１７はスライドしてキャビンＣの後方部２２に収納できる。スライド方式はリンク等を使い、可変部分１７がキャビンＣに沿って後方へ移動するように構成している。実施例３では可変部分１７の回動支点部１５は、座席１２の後端部または座席１２の後端部より後方に位置するように構成している。これにより、可変部分１７は座席の左右部の全面積を占めるように構成している。キャビンＣの可変部分１７を移動することにより開放感が得られ、視界性も良くなる。しかも、可変部分１７がキャビン後方部２２に収納できるので、作業の邪魔にならない。
【００１７】
実施例４、図６は実施例４の構造を示す旋回型掘削作業車の平面図である。２３は作業機Ａ、上部体構造１８を操縦する操作部である。図６ではキャビンＣの表面積を可変とした可変部分１７がキャビンＣにヒンジ式として取り付けられている。ここで、ヒンジ式とは、キャビンＣの一方に回動支点が設けられており、かつ、可変部分１７はキャビンＣに対し外側に開く方式をいう。キャビンＣの可変部分１７がヒンジ式なので、移動するのが容易になり、開放感が得られる。
【００１８】
実施例５、図７は実施例５の構造を示す旋回型掘削作業車の平面図である。図７ではキャビンＣの表面積を可変とした可変部分１７がキャビンＣにヒンジ式として取り付けられており、更に、可変部分１７がキャビンＣの後方部分２４に固定可能になっている。キャビンＣの可変部分１７がヒンジ式なので、移動するのが容易になり、開放感が得られる。更に、可変部分１７がキャビン後方部２４に収納できるので、作業の邪魔にならない。
【００１９】
実施例６、図８は実施例６の構造を示す旋回型掘削作業車の左側面図である。図８に示すように、キャビンＣの表面積を可変とした可変部分１７を脱着自在にし、キャビンＣから分離できるようにしてある。２７は運転者を示し、２８はキャビンの可変部分の支点部を示し、２９はキャビンの支点部を示す。３０はキャビンの天井部Ｔを支える前方支柱を示し、３１は走行レバーを示す。図８の実施例６では、キャビン可変部分１７をキャビンＣから取り外すことができる。取り外した場合、座席１２の後端部まで側面視で露出する。キャビンＣの右側にキャビン可変部分１７があれば、左右を取り外すことができる。なお、キャビンＣの天井部Ｔを支えるために前方支柱３１を設けたが、この前方支柱３１を設けなくても良い。キャビンＣを備えた掘削作業車でありながら、可変部分１７を外して、軽量化してから作業ができ、メンテナンスも容易にできる。しかも、キャノピー仕様と同等の開放感を得ることが出来る。
【００２０】
実施例７、図９は実施例７の構造を示す旋回型掘削作業車の左側側面図である。実施例７では乗降用ドア９がキャビンＣの可変部分１７に設けてある。また、乗用用ドア９に固定窓２５を設けてある。この固定窓２５に開閉可能な小窓２６を設けたものである。これにより、キャビンＣ内での換気、外との連絡などを、いちいちドア９または可変部分１７を動かさなくても、小窓２６を開閉するだけで可能となる。なお、実施例７では乗降用ドア９の固定窓２５に小窓２６を設けたが、ドアではなくてキャビンＣの固定窓に開閉可能な小窓２６を設ける構成にしても良い。
【００２１】
【発明の効果】
本願発明は、旋回型掘削作業車のキャビンＣにおいて、キャビンＣの表面積を可変としたので、キャノピー仕様のバックホーのように開放感のある旋回型掘削作業車が実現でき、快適に作業ができる。
【図面の簡単な説明】
【図１】実施例１を示す旋回型掘削作業車の左側面図である。
【図２】実施例１を示す旋回型掘削作業車の右側面図である。
【図３】実施例２を示す旋回型掘削作業車の左側面図である。
【図４】実施例２を示す旋回型掘削作業車の平面図である。
【図５】実施例３を示す旋回型掘削作業車の平面図である。
【図６】実施例４を示す旋回型掘削作業車の平面図である。
【図７】実施例５を示す旋回型掘削作業車の平面図である。
【図８】実施例６を示す旋回型掘削作業車の左側面図である。
【図９】実施例７を示す旋回型掘削作業車の左側面図である。
【符号の説明】
１　　　バケット
２　　　アーム
３　　　ブーム
Ａ　　　作業機
Ｃ　　　キャビン
４　　　ブームブラケット
５　　　走行装置
６　　　排土板
７　　　ボンネット
８　　　前面窓
９　　　乗降用ドア
１０Ｌ　左上窓
１０Ｒ　右上窓
１１　　左下窓
１２　　座席
１３Ｌ　左後方窓
１３Ｒ　右後方窓
１４　　旋回軸受
１５　　回動支点部
１６　　回動支点
１７　　可変部分
１８　　上部体装置
１９　　取って部
２０　　ドアノブ
２１　　排気管
２２　　キャビンの後方部
２３　　操作部
２４　　キャビン後方部
２５　　固定窓
２６　　小窓
２７　　運転者
２８　　キャビン可変部分の支点部
２９　　キャビンの支点部
３０　　前方支柱
３１　　走行レバー
【図１】
2004011232.tif 000003
【図２】
2004011232.tif 000004
【図３】
2004011232.tif 000005
【図４】
2004011232.tif 000006
【図５】
2004011232.tif 000007
【図６】
2004011232.tif 000008
【図７】
2004011232.tif 000009
【図８】
2004011232.tif 000010
【図９】
2004011232.tif 000011